(57)【要約】【課題】防塵性に優れたマイクロスイッチ、操作装置及びマイクロスイッチの製造方法を提供する。【解決手段】マウス等の操作装置には、マイクロスイッチ２が収容されている。マイクロスイッチ２は、電気回路を開閉する接点機構２４を収容する接点室２５と、接点室２５を収容する筐体２０と、筐体２０の外部からの押圧を受け付ける押下部材２１とを備え、押下部材２１は、接点室２５に開設されている挿通孔２６０に挿通して接点機構２４に作用する挿通部２１１を有し、挿通部２１１は、外部からの押圧状況に応じて移動する。更に、押下部材２１から、筐体２０における押下部材２１の周囲の外面までを覆う遮蔽部材２２が取り付けられており、遮蔽部材２２は、挿通孔２６０を遮蔽する。【選択図】図３
2019160649.tif 000002
【特許請求の範囲】
【請求項１】
電気回路を開閉する接点機構を収容する接点室と、前記接点室を収容する筐体と、前記筐体の外部からの押圧を受け付ける押下部材とを備え、前記押下部材は、前記接点室に開設されている挿通孔に挿通して前記接点機構に作用する挿通部を有するマイクロスイッチであって、
前記挿通孔を遮蔽する遮蔽部材を備え、
前記押下部材は、前記遮蔽部材を取り付ける第１取付部を、前記筐体の外部に有し、
前記筐体は、前記遮蔽部材を取り付ける第２取付部を、前記押下部材の周囲の外面に有し、
前記遮蔽部材は、前記押下部材の第１取付部から前記筐体の第２取付部までを覆う
ことを特徴とするマイクロスイッチ。
【請求項２】
請求項１に記載のマイクロスイッチであって、
前記遮蔽部材は、可撓性を有し、ドーム状に成型されたシート体にて形成されている
ことを特徴とするマイクロスイッチ。
【請求項３】
請求項１又は請求項２に記載のマイクロスイッチであって、
前記押下部材が有する第１取付部は、
挿通方向に対する周方向に沿って外周面に刻設された溝部であり、
前記遮蔽部材は、
前記押下部材の第１取付部となる溝部に嵌着させる嵌着孔が開設されており、
開設された嵌着孔の周縁が溝部に嵌着した状態で、前記押下部材に取り付けられている
ことを特徴とするマイクロスイッチ。
【請求項４】
請求項１乃至請求項３のいずれか１項に記載のマイクロスイッチであって、
前記筐体が有する第２取付部は、
外面に形成された係合溝であり、
前記遮蔽部材は、
周縁が係合溝に係合した状態で、前記筐体に取り付けられている
ことを特徴とするマイクロスイッチ。
【請求項５】
外部からの押下操作を受け付ける押下操作部と、
前記押下操作部が受け付けた押下操作を外部からの押圧として伝達される請求項１乃至請求項４のいずれか１項に記載のマイクロスイッチと
を備え、
前記マイクロスイッチが備える接点機構の動作に基づく信号を出力する
ことを特徴とする操作装置。
【請求項６】
電気回路を開閉する接点機構を収容する接点室と、前記接点室を収容する筐体と、前記筐体の外部からの押圧を受け付ける押下部材とを備え、前記押下部材は、前記接点室に開設されている挿通孔に挿通して前記接点機構に作用する挿通部を有するマイクロスイッチの製造方法であって、
前記押下部材の外周のうち前記筐体の外部に形成された第１取付部から、前記筐体の外面のうち前記押下部材の周囲に形成された第２取付部までを覆うように、挿通孔を遮蔽する遮蔽部材を、第２取付部に圧入にて取り付ける
ことを特徴とするマイクロスイッチの製造方法。
【発明の詳細な説明】
【技術分野】
【０００１】
本発明は、外部からの押圧を受けて電気回路を開閉するマイクロスイッチ、そのようなマイクロスイッチを用いた操作装置、及びそのようなマイクロスイッチの製造方法に関する。
【背景技術】
【０００２】
電子機器等の装置に用いられるマイクロスイッチが普及している。例えば、特許文献１には、カバーの外側に突出し、カバーを装着した状態で押圧可能な押しボタンを有するマイクロスイッチが開示されている。特許文献１に開示されたマイクロスイッチは、押しボタンが押圧されていない状態であるとき、共通接点端子と常閉接点端子とが可動接触片により導通し、押しボタンを押圧することにより、共通接点端子と常開接点端子とが可動接触片により導通する。
【先行技術文献】
【特許文献】
【０００３】
【特許文献１】特開２０１７−１６８０７号公報
【発明の概要】
【発明が解決しようとする課題】
【０００４】
特許文献１に開示されたマイクロスイッチは、外形サイズを大型化させることなく、寿命を延ばすことが可能であるという効果を奏する。
【０００５】
しかしながら、本件発明者は、カバーの外側に押しボタンが突出したマイクロスイッチでは、マイクロスイッチとカバーとの隙間から異物が入り込む僅かな可能性を見出し、隙間から入り込んだ異物が、可動接触片、共通接点端子、常閉接点端子及び常開接点端子に影響する可能性があることを懸念した。
【０００６】
本発明は斯かる事情に鑑みてなされたものであり、隙間から入り込む異物による影響を抑制することが可能なマイクロスイッチの提供を目的とする。
【０００７】
また、本発明は、そのようなマイクロスイッチを用いた操作装置の提供を他の目的とする。
【０００８】
更に、本発明は、そのようなマイクロスイッチの製造方法の提供を他の目的とする。
【課題を解決するための手段】
【０００９】
上記課題を解決するため、本願記載のマイクロスイッチは、電気回路を開閉する接点機構を収容する接点室と、前記接点室を収容する筐体と、前記筐体の外部からの押圧を受け付ける押下部材とを備え、前記押下部材は、前記接点室に開設されている挿通孔に挿通して前記接点機構に作用する挿通部を有するマイクロスイッチであって、前記挿通孔を遮蔽する遮蔽部材を備え、前記押下部材は、前記遮蔽部材を取り付ける第１取付部を、前記筐体の外部に有し、前記筐体は、前記遮蔽部材を取り付ける第２取付部を、前記押下部材の周囲の外面に有し、前記遮蔽部材は、前記押下部材の第１取付部から前記筐体の第２取付部までを覆うことを特徴とする。
【００１０】
また、前記マイクロスイッチにおいて、前記遮蔽部材は、可撓性を有し、ドーム状に成型されたシート体にて形成されていることを特徴とする。
【００１１】
また、前記マイクロスイッチにおいて、前記押下部材が有する第１取付部は、挿通方向に対する周方向に沿って外周面に刻設された溝部であり、前記遮蔽部材は、前記押下部材の第１取付部となる溝部に嵌着させる嵌着孔が開設されており、開設された嵌着孔の周縁が溝部に嵌着した状態で、前記押下部材に取り付けられていることを特徴とする。
【００１２】
また、前記マイクロスイッチにおいて、前記筐体が有する第２取付部は、外面に形成された係合溝であり、前記遮蔽部材は、周縁が係合溝に係合した状態で、前記筐体に取り付けられていることを特徴とする。
【００１３】
更に、本願記載の操作装置は、外部からの押下操作を受け付ける押下操作部と、前記押下操作部が受け付けた押下操作を外部からの押圧として伝達される前記マイクロスイッチとを備え、前記マイクロスイッチが備える接点機構の動作に基づく信号を出力することを特徴とする。
【００１４】
更に、本願記載のマイクロスイッチの製造方法は、電気回路を開閉する接点機構を収容する接点室と、前記接点室を収容する筐体と、前記筐体の外部からの押圧を受け付ける押下部材とを備え、前記押下部材は、前記接点室に開設されている挿通孔に挿通して前記接点機構に作用する挿通部を有するマイクロスイッチの製造方法であって、前記押下部材の外周のうち前記筐体の外部に形成された第１取付部から、前記筐体の外面のうち前記押下部材の周囲に形成された第２取付部までを覆うように、挿通孔を遮蔽する遮蔽部材を、第２取付部に圧入にて取り付けることを特徴とする。
【００１５】
本願記載のマイクロスイッチ、操作装置及びマイクロスイッチの製造方法は、異物が接点室内に容易に進入することを防止する。
【発明の効果】
【００１６】
本発明に係るスイッチ装置、操作装置及びマイクロスイッチの製造方法は、外部からの押圧を受け付ける押下部材の挿通部が挿通される挿通孔を遮蔽部材にて遮蔽する。これにより、異物から挿通孔を遮蔽し、異物による影響の発生を抑制する等、優れた効果を奏する。
【図面の簡単な説明】
【００１７】
【図１】本願記載の操作装置の外観の一例を示す概略斜視図である。
【図２】本願記載のマイクロスイッチの外観の一例を示す概略斜視図である。
【図３】本願記載のマイクロスイッチの断面及び外観の一例を示す概略斜視断面図である。
【図４】本願記載のマイクロスイッチの断面の一例を示す概略断面図である。
【図５】本願記載のマイクロスイッチの断面の一部の例を拡大して示す概略拡大断面図である。
【発明を実施するための形態】
【００１８】
以下、本発明の実施形態について図面を参照しながら説明する。
【００１９】
＜適用例＞
本願記載の操作装置は、例えば、パーソナルコンピュータ（以下、パソコンという）の操作に用いられるマウス等の操作装置として用いられる。また、本願記載のマイクロスイッチは、操作装置を含む様々な電子機器等の装置に用いられる。以下では、図面を参照しながら図面に例示された操作装置１及びマイクロスイッチ２について説明する。
【００２０】
＜操作装置１＞
まず、操作装置１について説明する。図１は、本願記載の操作装置１の外観の一例を示す概略斜視図である。図１は、本願記載の操作装置１を、パソコン等の電子機器の操作に用いるマウスに適用した例を示している。操作装置１は、操作者の指にて押下する操作を受け付けるマウスボタン等の押下操作部１０、操作者の指にて回動する操作を受け付けるマウスホイール等の回動操作部１１を備えている。なお、回動操作部１１は、回動操作だけでなく、押下操作をも受け付けるように構成されており、押下操作部１０としても機能する。また、操作装置１には、パソコン等の外部の機器に電気信号を出力する信号線１２が接続されている。なお、操作装置１は、信号線１２を用いた有線通信に限らず、無線通信等の様々な通信方法により電気信号を出力することが可能である。
【００２１】
操作装置１の内部には、各押下操作部１０及び回動操作部１１毎に、後述するマイクロスイッチ２が収容されており、押下操作部１０に対して押下操作をした場合、押下操作部１０の内部の部位が、対応するマイクロスイッチ２を押圧する。マイクロスイッチ２は、押圧状況に基づく信号を信号線１２から外部のパソコン等の電子機器へ出力する。
【００２２】
即ち、本願記載の操作装置１は、外部からの押下操作を受け付ける押下操作部１０と、回動操作等の操作を受け付ける回動操作部１１とを備え、更に内部にマイクロスイッチ２を備えている。そして、操作装置１は、押下操作部１０及び／又は回動操作部１１が受け付けた押下操作を外部からの押圧としてマイクロスイッチ２に伝達し、マイクロスイッチ２の動作に基づく信号を外部の電子機器へ出力する。
【００２３】
＜マイクロスイッチ２＞
次に、マイクロスイッチ２について説明する。図２は、本願記載のマイクロスイッチ２の外観の一例を示す概略斜視図である。なお、本願明細書において、マイクロスイッチ２の方向については、図２に向かって左手前側を前、右奥側を後、上方を上、下方を下として表現するが、説明の便宜上の方向であり、マイクロスイッチ２の組込方向を限定するものではない。前述のようにマイクロスイッチ２は、操作装置１等の電子機器の内部に収容され、操作装置１の押下操作部１０等の部位が受け付けた押下操作を外部からの押圧として受け付ける。
【００２４】
マイクロスイッチ２は、略直方体状をなす筐体２０を備えている。筐体２０は、下部のベース及び上部のカバーにて形成されている。筐体２０の上面には、正面視で中央から左寄りの位置に、筐体２０の外部からの押圧を受け付けて上下に移動する押下部材２１が挿嵌している。また、押下部材２１と筐体２０の上面との間を覆う遮蔽部材２２が取り付けられている。更に、筐体２０の下側からは、他の電気部材を接続可能な金属片である３本の接続端子部２３が突出している。
【００２５】
このように形成されたマイクロスイッチ２では、操作装置１が受け付けた外部からの押下操作が、筐体２０の外部からの押圧として、押下部材２１に伝達される。押下部材２１は、外部からの押圧を受けて、筐体２０の内側となる下側へ移動し、外部からの押圧が解除されると、筐体２０の外側となる上側へ移動する。即ち、押下部材２１は、外部からの押圧状況に応じて上側（筐体２０の外側）の第１位置及び下側（筐体２０の内側）の第２位置の間で移動する。
【００２６】
次にマイクロスイッチ２が備える筐体２０及び押下部材２１並びに遮蔽部材２２に係る取付構造について説明する。図３は、本願記載のマイクロスイッチ２の断面及び外観の一例を示す概略斜視断面図である。図４は、本願記載のマイクロスイッチ２の断面の一例を示す概略断面図である。図３及び図４は、第１実施形態に係るマイクロスイッチ２を例示しており、図２に示すＡ−Ｂ線分を含む垂直面で切断した断面を矢印方向に向かって示している。なお、図３は、図２と同様の方向からの視点で示しており、図４は、正面からの視点で示している。
【００２７】
次に、図２乃至図４を参照して、マイクロスイッチ２が備える筐体２０及び押下部材２１並びに遮蔽部材２２に係る取付構造について説明する。筐体２０及び押下部材２１は、硬質性の部材であり、例えば、熱可塑性樹脂、熱硬化性樹脂等の樹脂を材料とし、射出成型等の成型方法にて成型することにより形成されている。遮蔽部材２２は、可撓性を有する部材であり、ドーム状に成型されたシート体にて形成されるゴムキャップ等の部材である。
【００２８】
押下部材２１は、略円柱状をなし、中心軸が上下方向となるように配設されており、外部からの押圧状況に応じて、上下方向、即ち、中心軸方向に移動する。押下部材２１の側面の上部には、遮蔽部材２２を取り付ける第１取付部として、側面の周方向に沿って刻設された一筋の溝部２１０が形成されており、溝部２１０は、押下部材２１の上端近傍の側面を周回している。なお、後述するように、押下部材２１は、挿通孔２６０に挿通されるため、押下部材２１の中心軸方向は、挿通方向と一致する。従って、一筋の溝部２１０が、押下部材２１の挿通方向に対する周方向に沿って、押下部材２１の外周面に刻設されているということができる。
【００２９】
筐体２０の上側の外面となる上面には、遮蔽部材２２を係合状態で取り付ける第２取付部として、環状の係合溝２００が形成されている。係合溝２００は、上方からの視点で、押下部材２１を中心とした円周状に形成されている。即ち、筐体２０には、押下部材２１の周囲の外面に第２取付部となる係合溝２００が形成されている。
【００３０】
遮蔽部材２２は、ドーム状をなし、上方からの視点で、略円形状に形成されており、中心部には、略円形状の嵌着孔２２０が開設されている。嵌着孔２２０は、遮蔽部材２２の外形をなす円と同心円の関係にあり、遮蔽部材２２全体としてドームの頂部に孔が空いた形状となっている。遮蔽部材２２において、嵌着孔２２０の周縁は、壁状に若干盛り上がっており、押下部材２１の溝部２１０に嵌着させるための環状の嵌着部２２１となっている。また、遮蔽部材２２の円周となる周縁は、外側へ向かって水平方向に若干延びており、係合溝２００に係合させるための円周状の係合部２２２となっている。
【００３１】
押下部材２１に刻設された溝部２１０の外径と、遮蔽部材２２に開設された嵌着孔２２０の内径とは略一致しており、押下部材２１は、遮蔽部材２２の嵌着孔２２０に内嵌し、嵌着孔２２０周縁の嵌着部２２１が溝部２１０に密着状態で嵌着している。即ち、遮蔽部材２２は、開設された嵌着孔２２０の周縁が溝部２１０に嵌着した状態で、押下部材２１に取り付けられている。なお、押下部材２１の溝部２１０と、遮蔽部材２２の嵌着孔２２０とは、密着状態となっていることが望ましく、そのため、成型時においては、溝部２１０の外径より嵌着孔２２０の内径が若干小さくなるように成型してもよい。
【００３２】
筐体２０の上面に形成された係合溝２００の壁面の外径及び内径と、遮蔽部材２２の周縁に形成された係合部２２２の外径及び内径とは、それぞれ略一致している。なお、筐体２０の係合溝２００と、遮蔽部材２２の係合部２２２とは、密着状態となっていることが望ましく、そのため、成型時においては、係合溝２００より、係合部２２２が若干大きくなるように成型してもよい。そして、遮蔽部材２２の係合部２２２を治具を用いて押圧することにより、係合溝２００に、係合溝２００より大きい係合部２２２を嵌め込む圧入が行われ、遮蔽部材２２は、筐体２０に密着した係合状態で取り付けられる。
【００３３】
押下部材２１の溝部２１０に遮蔽部材２２の嵌着孔２２０を嵌着して取り付け、筐体２０の係合溝２００に遮蔽部材２２の係合部２２２を圧入して取り付けることにより、遮蔽部材２２は、押下部材２１の溝部２１０から、筐体２０の係合溝２００までを略密閉状態で覆うことになる。
【００３４】
次に、図３及び図４を参照して、マイクロスイッチ２の内部構造について説明する。マイクロスイッチ２の筐体２０内には、スイッチとして電気回路を開閉する接点機構２４を収容する接点室２５としての領域が確保されている。接点室２５の上方は、遮蔽部材２２に覆われており、遮蔽部材２２にて覆われた領域は、押下部材２１が上下に移動するための押下室２６となっている。また、押下室２６の底面には、押下部材２１が挿通する挿通孔２６０が開設されており、挿通孔２６０により、押下室２６の底面及び接点室２５の上面は貫通している。
【００３５】
押下室２６内で上下に移動する押下部材２１の下部は、挿通孔２６０に挿通する挿通部２１１として形成されており、挿通部２１１の下端は、挿通孔２６０を挿通して接点室２５内に達している。挿通部２１１は、挿通孔２６０に対して若干の間隙を開けて挿嵌しているため、押下部材２１は、挿通部２１１を挿通孔２６０に挿通した状態を維持しながら上下動が可能である。押下部材２１の挿通部２１１は、押下部材２１の上下動を接点室２５内に伝達し、接点室２５内の接点機構２４に作用する。
【００３６】
遮蔽部材２２が、押下部材２１の溝部２１０から、筐体２０の係合溝２００までを覆っているため、挿通孔２６０は、遮蔽部材２２により、筐体２０外部から遮蔽されていることになる。遮蔽部材２２が挿通孔２６０を遮蔽しているため、異物が挿通孔２６０と挿通部２１１との間を通って接点室２５内に入り込むことを防止する。
【００３７】
接点室２５内に収容された接点機構２４について説明する。接点室２５内には、接点機構２４として、共通接点端子２４０、第１接点端子２４１、第２接点端子２４２、可動接触片２４３等の部材が配設されている。共通接点端子２４０は、接点室２５内の左側に配設されており、左側の接続端子部２３と電気的に接続されている。第１接点端子２４１は、接点室２５内の右上側に配設されており、右側の接続端子部２３と電気的に接続されている。第２接点端子２４２は、接点室２５内の右下側に配設されており、中央の接続端子部２３と電気的に接続されている。
【００３８】
可動接触片２４３は、接点室２５内において、左右方向に延びる板状の導電性金属部材である。可動接触片２４３の左端は、共通接点端子２４０に係止された固定端となっている。可動接触片２４３の右端は、第１接点端子２４１及び第２接点端子２４２の間で移動する自由端であり、可動接点として機能する。なお、可動接触片２４３は、中央付近が打ち抜かれ円弧状に折り曲げられた復帰バネとして形成されており、復帰バネは、接点室２５内に固定されている。
【００３９】
このように構成された接点機構２４は、押下部材２１が押圧されることにより、挿通部２１１が下方へ移動し、可動接触片２４３を押下する。可動接触片２４３が押下されることにより、可動接触片２４３の自由端である右端側が下がり、第２接点端子２４２に接触する。これにより、共通接点端子２４０に接続された左側の接続端子部２３と、第２接点端子２４２に接続された中央の接続端子部２３とが導通状態となる。
【００４０】
押下部材２１の押圧が解除されると、復帰バネにより可動接触片２４３は上側へ付勢される。可動接触片２４３が上側に付勢されることにより、挿通部２１１（押下部材２１）が上方へ移動する。また、復帰バネにより可動接触片２４３が上側へ付勢されることにより、可動接触片２４３の自由端である右端側が上がり、第１接点端子２４１に接触する。これにより、共通接点端子２４０に接続された左側の接続端子部２３と、第１接点端子２４１に接続された右側の接続端子部２３とが導通状態となる。なお、図面では、押下部材２１が押圧されていない状態を図示している。
【００４１】
本願で例示した接点機構２４は、様々な形態に展開可能な本願記載のマイクロスイッチ２の一形態を例示したに過ぎない。本願のマイクロスイッチ２には、挿通部２１１の押下により回路が開閉、接離する様々な接点機構２４を適用することが可能である。例えば、本願出願人が開示する特開２０１７−１６８０７号公報に記載された機構等、様々な技術を適用することが可能である。
【００４２】
また、前述のように本願記載のマイクロスイッチ２は、押下部材２１の溝部２１０（第１取付部）から、筐体２０の係合溝２００（第２取付部）までを覆うように、遮蔽部材２２を取り付けることにより製造される。遮蔽部材２２の取り付けは、押下部材２１の溝部２１０に遮蔽部材２２の嵌着孔２２０を嵌着して取り付け、筐体２０の係合溝２００に遮蔽部材２２の係合部２２２を圧入して取り付けることにより行われる。なお、取付方法は、圧入に限らず、遮蔽部材２２の係合部２２２を加熱しながら圧力を加えて変形させる熱かしめ等の方法であってもよい。
【００４３】
以上のように構成された本願記載のマイクロスイッチ２の動作について説明する。図５は、本願記載のマイクロスイッチ２の断面の一部の例を拡大して示す概略拡大断面図である。図５は、マイクロスイッチ２の押下室２６を中心に拡大した断面であり、押下部材２１の位置及び遮蔽部材２２の変形した形状を認識し易いように模式的に示している。図５（ａ）は、押下部材２１が外部から押圧を受けておらず上側の第１位置にいる状態を示しており、図５（ｂ）は、押下部材２１が外部から押圧されて下側の第２位置にいる状態を示している。
【００４４】
押下部材２１が押下されて、押下部材２１が第１位置から第２位置へ移動することにより、図５（ａ）に示す状態から図５（ｂ）に示す状態へと遷移し、可撓性を有する遮蔽部材２２は、頂部付近が凹むように撓んで変形する。押下部材２１への押圧が解除された場合、押下部材２１は、第２位置から第１位置へ移動し、図５（ｂ）に示す状態から図５（ａ）に示す状態へと遷移し、遮蔽部材２２は元の形状に復帰する。
【００４５】
本願記載のマイクロスイッチ２を備えるマウス等の操作装置１は、構造上、隙間が生じる場合がある。仮に、操作装置１の隙間から糸屑等の異物が入り込んだとしても、マイクロスイッチ２は、筐体２０により保護されており、接点室２５は筐体２０内に収容されているので、接点室２５内にまで異物が侵入することは容易ではない。即ち、接点室２５は、閉じられた構造となっており、接点室２５内の部材に異物が付着することによる接触不良等の不具合の発生を抑制している。以下では、操作装置１内に異物が入り込んだ状況を仮定して、マイクロスイッチ２の防塵機能について説明する。
【００４６】
接点室２５の上部には、押下部材２１の挿通部２１１が挿通する挿通孔２６０が開設されているが、図３乃至図５に示すように、遮蔽部材２２が挿通孔２６０を遮蔽しているため、挿通孔２６０と挿通部２１１との間の若干の間隙から接点室２５内に異物が進入することは容易ではない。即ち、遮蔽部材２２が、押下部材２１の溝部２１０から、筐体２０の係合溝２００までを覆っているため、遮蔽部材２２が挿通孔２６０を遮蔽し、異物が挿通孔２６０と挿通部２１１との間を通って接点室２５内に入り込むことを防止する。
【００４７】
以上のように、本願記載のマイクロスイッチ２は、防塵性が高く、操作装置１内に異物が入り込んだ場合でも、入り込んだ異物がマイクロスイッチ２の接点室２５内にまで侵入することは困難である。これにより、侵入した異物による異常、例えば、動作不良の発生を抑制することが可能である等、優れた効果を奏する。
【００４８】
なお、本願記載のマイクロスイッチ２による効果は、防塵効果だけではない。例えば、マイクロスイッチ２が備える押下部材２１は、筐体２０内部の構成を組み立てた後、筐体２０の外側から嵌め込み、更に遮蔽部材２２を取り付けることになるので、筐体２０内に押下部材２１を組み込む場合と比べて組立が容易である。従って、本願記載のマイクロスイッチ２は、組立工程に関する効率化、歩留まりの向上等の効果を見込むことが可能である等、優れた効果を奏する。
【００４９】
本発明は、以上説明した実施形態に限定されるものではなく、他の様々な形態で実施することが可能である。そのため、上述した実施形態はあらゆる点で単なる例示に過ぎず、限定的に解釈してはならない。本発明の技術範囲は、請求の範囲によって説明するものであって、明細書本文には何ら拘束されない。更に、請求の範囲の均等範囲に属する変形及び変更は、全て本発明の範囲内のものである。
【００５０】
例えば、前記実施形態では、ドーム状に成型された遮蔽部材２２を用いる形態を示したが、本発明はこれに限るものでなく、遮蔽部材２２は、挿通孔２６０を遮蔽することができるのであれば、様々な形態に展開することが可能である。例えば、遮蔽部材２２を蛇腹状に形成して、挿通部２１１の上下動に対応しつつ挿通孔２６０を遮蔽する形態とする等、様々な形態に展開することが可能である。
【００５１】
また、例えば、遮蔽部材２２と、押下部材２１又は筐体２０との間の取付構造は、適宜設計することが可能である。具体的には、押下部材２１を、他の部材と係合する鉤状等、様々な形状に変形することが可能であり、更には、圧入及び熱かしめ以外に、接着剤による接着、加熱による溶着等の物理的、化学的変化を伴う取付方法とすることも可能である。更に、取付位置についても、筐体２０の上面に係合溝２００を形成するのではなく、筐体２０の側面にまで、係合溝２００又はその他の取付代を形成し、遮蔽部材２２を筐体２０の側面の一部まで覆うように取り付けるようにしてもよい。
【００５２】
また、前記実施形態では、マイクロスイッチ２を備える操作装置１として、マウスを例示したが、本発明はこれに限らず、操作に用いられるキーボード、各種押しボタン等の様々な装置を操作装置１として適用することが可能である等、様々な形態に展開することが可能である。
【符号の説明】
【００５３】
１        操作装置
２        マイクロスイッチ
２０      筐体
２００    係合溝（第２取付部）
２１      押下部材
２１０    溝部（第１取付部）
２１１    挿通部
２２      遮蔽部材
２２０    嵌着孔
２２１    嵌着部
２２２    係合部
２３      接続端子部
２４      接点機構
２５      接点室
２６      押下室
２６０    挿通孔
【図１】
2019160649.tif 000003
【図２】
2019160649.tif 000004
【図３】
2019160649.tif 000005
【図４】
2019160649.tif 000006
【図５】
2019160649.tif 000007